(57)【要約】【課題】粘度の高い主剤や硬化剤を用いた場合でも、コスト低減と設備の小型化を図る。【解決手段】硬化剤専用供給路１１Ｂにおける硬化剤用圧送源１２Ｂよりも下流側の位置には、その硬化剤専用供給路１１Ｂ内の硬化剤（液剤）が共用供給路１８への流入を休止している間に、その硬化剤を加圧する加圧装置２０が接続されている。加圧装置２０を、硬化剤専用供給路１１Ｂにおける硬化剤用圧送源１２Ｂよりも下流側の位置に設けたので、硬化剤が高圧の状態で流動するのは、加圧装置２０よりも下流側だけとなり、加圧装置２０よりも上流側には高圧対策が不要である。その分、コスト低減と設備の小型化を図ることが可能である。【選択図】図１
2010131563.tif 000002
【特許請求の範囲】
【請求項１】
上流端に主剤の圧送源が設けられた主剤専用供給路と、
上流端に硬化剤の圧送源が設けられた硬化剤専用供給路と、
上流端に前記主剤専用供給路と前記硬化剤専用供給路が接続された共用供給路とを備え、
前記共用供給路の上流端に交互に流入した主剤と硬化剤が前記共用供給路を通過する過程で混合されることにより得られた混合塗料を、塗装ガンに供給するようになっている混合塗料の供給装置であって、
前記主剤専用供給路と前記硬化剤専用供給路のうち少なくとも一方の前記専用供給路には、前記圧送源よりも下流側の位置に接続され、その専用供給路内の液剤が前記共用供給路への流入を休止している間にその液剤を加圧する加圧装置が設けられていることを特徴とする混合塗料の供給装置。
【請求項２】
前記加圧装置は、
前記専用供給路に設けられ、上流側への逆流を規制された貯留室と、
前記貯留室内に臨むように設けられ、前記貯留室の容積を増減させるように変位可能な可動部材と、
前記貯留室の容積を増大させて前記貯留室内に液剤を貯留させる方向へ前記可動部材を駆動する駆動手段と、
前記可動部材に対し、前記貯留室の容積を減少させる方向の圧力を付与する与圧手段とを備えて構成されていることを特徴とする請求項１記載の混合塗料の供給装置。
【請求項３】
前記加圧装置は、
前記可動部材に一体的に変位するように取り付けたピストンと、
前記ピストンにより２つの圧力室に仕切られたシリンダとを備えており、
前記駆動手段が、前記ピストンと、前記シリンダと、前記２つの圧力室のうち一方の前記圧力室に対して加圧空気を供給する駆動用加圧空気供給源とを備えて構成され、
前記与圧手段が、前記ピストンと、前記シリンダと、前記２つの圧力室のうち他方の前記圧力室に対して加圧空気を供給する与圧用加圧空気供給源とを備えて構成されていることを特徴とする請求項２記載の混合塗料の供給装置。
【請求項４】
前記加圧装置は、前記貯留室の容積がその増減範囲内で最大になったことを検出する検出手段を備えていることを特徴とする請求項２又は請求項３に記載の混合塗料の供給装置。
【発明の詳細な説明】
【技術分野】
【０００１】
本発明は、混合塗料の供給装置に関するものである。
【背景技術】
【０００２】
特許文献１には、主剤と硬化剤とを混合して得られる塗料を供給する装置が開示されている。この装置は、主剤供給路と硬化剤供給路を共用供給路の上流端に接続するとともに、共用供給路の下流端に塗装ガンが接続された構造になり、共用供給路には主剤と硬化剤とが交互に投入され、この２つの液剤が共用供給路を通過する間に混合されて、混合塗料となる。
【特許文献１】特開２００７−１４４２８６公報
【発明の開示】
【発明が解決しようとする課題】
【０００３】
主剤と硬化剤は用途に応じて種々のものが用いられるのであるが、その液剤の中には粘度が非常に高いものがあり、このように粘度の高い液剤を用いる場合には、専用供給路の上流端に設けられている圧送源に、圧力比の高い大型ポンプを設けることにより、液剤を高い圧力で圧送する必要がある。
【０００４】
しかしながら、このような高圧で液剤を圧送するためる圧送源を専用供給路の上流端に設けた場合、圧送源から塗装ガンに至る液剤の流動経路の全領域に亘り、高圧の液剤に耐えることができるように剛性の高い管路（例えば、ステンレスパイプやワイヤブレードで補強したホース等）に交換する等の高圧対策を講じなければならない。しかし、このような高圧対策は、コストが嵩むだけでなく、設備全体が大掛かりとなる。
【０００５】
本発明は上記のような事情に基づいて完成されたものであって、主剤と硬化剤を混合して得られる混合塗料を供給する装置において、粘度の高い主剤や硬化剤を用いる場合であってもコスト低減と設備の小型化を図ることを目的とする。
【課題を解決するための手段】
【０００６】
上記の目的を達成するための手段として、請求項１の発明は、上流端に主剤の圧送源が設けられた主剤専用供給路と、上流端に硬化剤の圧送源が設けられた硬化剤専用供給路と、上流端に前記主剤専用供給路と前記硬化剤専用供給路が接続された共用供給路とを備え、前記共用供給路の上流端に交互に流入した主剤と硬化剤が前記共用供給路を通過する過程で混合されることにより得られた混合塗料を、塗装ガンに供給するようになっている混合塗料の供給装置であって、前記主剤専用供給路と前記硬化剤専用供給路のうち少なくとも一方の前記専用供給路には、前記圧送源よりも下流側の位置に接続され、その専用供給路内の液剤が前記共用供給路への流入を休止している間にその液剤を加圧する加圧装置が設けられているところに特徴を有する。
【０００７】
請求項２の発明は、請求項１に記載のものにおいて、前記加圧装置は、前記専用供給路に設けられ、上流側への逆流を規制された貯留室と、前記貯留室内に臨むように設けられ、前記貯留室の容積を増減させるように変位可能な可動部材と、前記貯留室の容積を増大させて前記貯留室内に液剤を貯留させる方向へ前記可動部材を駆動する駆動手段と、前記可動部材に対し、前記貯留室の容積を減少させる方向の圧力を付与する与圧手段とを備えて構成されているところに特徴を有する。
【０００８】
請求項３の発明は、請求項２に記載のものにおいて、前記加圧装置は、前記可動部材に一体的に変位するように取り付けたピストンと、前記ピストンにより２つの圧力室に仕切られたシリンダとを備えており、前記駆動手段が、前記ピストンと、前記シリンダと、前記２つの圧力室のうち一方の前記圧力室に対して加圧空気を供給する駆動用加圧空気供給源とを備えて構成され、前記与圧手段が、前記ピストンと、前記シリンダと、前記２つの圧力室のうち他方の前記圧力室に対して加圧空気を供給する与圧用加圧空気供給源とを備えて構成されているところに特徴を有する。
【０００９】
請求項４の発明は、請求項２又は請求項３に記載のものにおいて、前記加圧装置は、前記貯留室の容積がその増減範囲内で最大になったことを検出する検出手段を備えているところに特徴を有する。
【発明の効果】
【００１０】
＜請求項１の発明＞
加圧装置が設けられている側の専用供給路内の液剤が共用供給路への流入を休止している間、その液剤が加圧装置によって加圧される。この後、この加圧された液剤は、高圧で共用供給路へ流入する。本発明によれば、液剤が高圧の状態で流動するのは、加圧装置よりも下流側だけなので、加圧装置よりも上流側には高圧対策が不要であり、その分、コスト低減と設備の小型化を図ることが可能である。
【００１１】
＜請求項２の発明＞
加圧装置が設けられている側の専用供給路の液剤が共用供給路への流入を休止している間は、駆動手段によって可動部材が貯留室の容積を増大させる方向へ変位するのに伴い、貯留室内に液剤が貯留される。その後、与圧手段により、可動部材に対し貯留室の容積を減少させる方向の圧力が付与されることにより、貯留室内の液剤が加圧される。
【００１２】
＜請求項３の発明＞
駆動手段と与圧手段が、ピストン及びシリンダを共用しているので、これらの２つの手段が全て専用の部材で構成されている場合に比べると、部品点数が少なくて済んでいる。
【００１３】
＜請求項４の発明＞
貯留室の容積がその増減範囲内で最大になったことを検出する検出手段を設けたので、この検出手段の検出結果に基づき、貯留室内に貯留された液剤の量が正規の量に達したか否かを検知することができる。これにより、加圧装置から共用供給路へ投入される液剤の量が正規の量よりも不足する、という事態を確実に回避することができ、主剤と硬化剤を適正な混合比で混合して高品質の混合塗料を得ることができる。
【発明を実施するための最良の形態】
【００１４】
＜実施形態１＞
以下、本発明の混合塗料の供給装置を具体化した実施形態１を図１乃至図３を参照して説明する。供給装置は、図１に示すように、比較的粘度の低い主剤と、主剤よりも粘度の高い硬化剤（本発明の構成要件である液剤）とを混合して得られた混合塗料を塗装ガン１０に供給するためのものであり、主剤専用供給路１１Ａと硬化剤専用供給路１１Ｂと共用供給路１８と加圧装置２０とを備えて構成されている。
【００１５】
主剤専用供給路１１Ａの上流端には、主剤用圧送源１２Ａが接続されている。この主剤用圧送源１２Ａは、主剤が貯留されている主剤タンク１３Ａと、主剤タンク１３Ａ内の主剤を吸い上げて下流側へ所定の圧力で圧送する主剤用ポンプ１４Ａとを備えて構成されている。この主剤用ポンプ１４Ａの圧送能力は、主剤を主剤専用供給路１１Ａと共用供給路１８を通して塗装ガン１０に圧送するに際して、良好な塗装を行うのに必要な圧力と流量を確保できる程度の能力とされている。
【００１６】
主剤専用供給路１１Ａにおける下流端に近い位置には、主剤の流動を許容する開弁状態と主剤の流動を規制する閉弁状態との間で切り換えられる主剤用開閉弁１５Ａが設けられている。また、主剤専用供給路１１Ａにおける主剤用開閉弁１５Ａよりも下流側の位置には、主剤の流量を計測するための主剤用流量計１６Ａが設けられ、主剤専用供給路１１Ａにおける主剤用流量計１６Ａよりも下流側の位置には、上流側への逆流を規制するための主剤用逆止弁１７Ａが設けられている。
【００１７】
硬化剤専用供給路１１Ｂの上流端には、硬化剤用圧送源１２Ｂが接続されている。この硬化剤用圧送源１２Ｂは、硬化剤が貯留されている硬化剤タンク１３Ｂと、硬化剤タンク１３Ｂ内の硬化剤を吸い上げて下流側へ所定の圧力で圧送する硬化剤用ポンプ１４Ｂとを備えて構成されている。硬化剤専用供給路１１Ｂにおける下流端に近い位置には、硬化剤の流動を許容する開弁状態と主剤の流動を規制する閉弁状態との間で切り換えられる硬化剤用開閉弁１５Ｂが設けられている。また、硬化剤専用供給路１１Ｂにおける硬化剤用開閉弁１５Ｂよりも下流側の位置には、硬化剤の流量を計測するための硬化剤用流量計１６Ｂが設けられ、硬化剤専用供給路１１Ｂにおける硬化剤用流量計１６Ｂよりも下流側の位置には、上流側への逆流を規制するための硬化剤用逆止弁１７Ｂが設けられている。
【００１８】
主剤専用供給路１１Ａの下流端と硬化剤専用供給路１１Ｂの下流端は、共用供給路１８の上流端に接続されている。共用供給路１８の下流端には塗装ガン１０が接続されている。また、共用供給路１８の途中には、混合器１９が設けられている。混合器１９は、共用供給路１８に交互に流入した主剤と硬化剤を撹拌して混合させる機能を有する。
【００１９】
硬化剤の粘度は主剤よりも高いのであるが、硬化剤用ポンプ１４Ｂの圧送能力は、上記の主剤用ポンプ１４Ａと同じである。したがって、主剤よりも粘度の高い硬化剤を硬化剤用ポンプ１４Ｂだけで圧送しようとした場合には、所定の流量が得られなくなることが懸念される。そこで、硬化剤を所定の流量で圧送する手段として、硬化剤専用供給路１１Ｂに、硬化剤を加圧するための加圧装置２０が設けられている。
【００２０】
図２に示すように、加圧装置２０は、装置本体２１と、駆動用加圧空気供給源３０と、与圧用加圧空気供給源３１とを備えて構成されている。装置本体２１は、硬化剤専用供給路１１Ｂの流動経路のうち硬化剤用圧送源１２Ｂよりも下流側であって硬化剤用開閉弁１５Ｂよりも上流側の位置に接続されている。装置本体２１には、その内部に貯留室２２が形成されているとともに、貯留室２２に連通する流入孔２３と流出孔２４とが形成されている。流入孔２３には、硬化剤専用供給路１１Ｂのうち装置本体２１よりも上流側の流路の下流端が接続され、流出孔２４には、硬化剤専用供給路１１Ｂのうち装置本体２１よりも下流側の流路の上流端が接続されており、硬化剤用圧送源１２Ｂから圧送された硬化剤は、貯留室２２内を通過して共用供給路１８へ供給されるようになっている。また、流入孔２３には、上流側（硬化剤用圧送源１２Ｂ側）から貯留室２２内への硬化剤の流入は許容するが、貯留室２２内の硬化剤が上流側へ逆流するのを規制する与圧用逆止弁２５が設けられている。
【００２１】
装置本体２１には、シリンダ２６が形成され、シリンダ２６内にはピストン２７が摺動可能に収容されている。シリンダ２６内は、ピストン２７により、駆動用圧力室２８と与圧用圧力室２９とに仕切られている。また、シリンダ２６には、駆動用圧力室２８に連通するように駆動用加圧空気供給源３０が接続されているとともに、与圧用圧力室２９に連通するように与圧用加圧空気供給源３１が接続されている。これにより、与圧用圧力室２９内の空気を排出しながら駆動用圧力室２８内に加圧空気を供給する駆動動作と、駆動用圧力室２８内に空気を排出しながら与圧用圧力室２９内に加圧空気を供給する与圧動作とが、交互に行われるようになっている。
【００２２】
装置本体２１内には、与圧用圧力室２９から貯留室２２へ貫通した形態のガイド孔３２が形成され、このガイド孔３２にはプランジャ３３（本発明の構成要件である可動部材）が、気密状に、且つプランジャ３３の軸線方向への往復移動可能に貫通されている。プランジャ３３の基端部はピストン２７に対して一体的に移動し得るように固着されており、プランジャ３３の先端部は、貯留室２２内に突出されている。プランジャ３３が移動すると、その貯留室２２内への突出体積が変動するので、貯留室２２内の容積が増減するようになっている。
【００２３】
また、プランジャ３３の移動方向と直角な先端面３３Ａの面積に比べると、ピストン２７の圧力室２８，２９に臨む受圧面積は相当に大きく設定されているので、貯留室２２内においてプランジャ３３の先端面３３Ａから硬化剤に作用する圧力（負圧も含めて）は、ピストン２７に付与される圧力よりも大きくなる。尚、プランジャ３３の軸線は、流入孔２３とほぼ同軸状に配置されており、プランジャ３３の先端面３３Ａは、与圧用逆止弁２５に対して接近・離間するように対向している。
【００２４】
上記したピストン２７とシリンダ２６と駆動用加圧空気供給源３０は、貯留室２２の容積を増大させて貯留室２２内に液剤を貯留させる方向へプランジャ３３を駆動するための駆動手段３４を構成する。また、ピストン２７とシリンダ２６と与圧用加圧空気供給源３１は、プランジャ３３に対し、貯留室２２の容積を減少させる方向の圧力を付与する与圧手段３５を構成している。
【００２５】
また、シリンダ２６の内壁には、第１ストッパ３６と第２ストッパ３７が形成されている。第１ストッパ３６は、与圧用圧力室２９内に臨んでいて、ピストン２７の２つの受圧面のうちプランジャ３３とは反対側の受圧面と対向している。一方、第２ストッパ３７は、駆動用圧力室２８内に臨んでいて、ピストン２７のプランジャ３３側の受圧面と対向している。また、与圧用圧力室２９と駆動用圧力室２８には、夫々、緩衝バネ３８が設けられており、ピストン２７が第１ストッパ３６に当接する直前には、緩衝バネ３８によってピストン２７の速度が弱められて第１ストッパ３６に対する衝撃が緩和されるようになっているとともに、ピストン２７が第２ストッパ３７に当接する直前にも、緩衝バネ３８によってピストン２７の速度が弱められて第２ストッパ３７に対する衝撃が緩和されるようになっている。
【００２６】
第１ストッパ３６には、リードスイッチ３９（本発明の構成要件である検出手段）が設けられている。リードスイッチ３９は、与圧用圧力室２９内の容積が最小になってピストン２７が第１ストッパ３６に当接したときに、ピストン２７の位置を検出するようになっている。ピストン２７が第１ストッパ３６に当接した状態では、プランジャ３３の貯留室２２への突出量が最小になるため、貯留室２２の容積は最大となる。つまり、リードスイッチ３９は、貯留室２２内の容積が最大になったことを検出する。
【００２７】
次に、本実施形態の作用を説明する。塗装を行う際には、主剤用圧送源１２Ａにおいて主剤を圧送する動作と、硬化剤用圧送源１２Ｂにおいて硬化剤を圧送する動作とが継続して行われるとともに、主剤用開閉弁１５Ａと硬化剤用開閉弁１５Ｂが、所定の時間毎に交互に開閉動作を行う。図３に示すように、両開閉弁１５Ａ，１５Ｂの交互の開閉動作により、主剤を共用供給路１８に流入させる主剤投入工程と硬化剤を共用供給路１８に流入される硬化剤投入工程が交互に行われる。共用供給路１８に交互に流入した主剤と硬化剤は、共用供給路１８内を下流側へ流動する過程で混合されるとともに、混合器１９を通過する際に撹拌されことにより、混合塗料となり、塗装ガン１０に供給され、塗装ガン１０から被塗物に向けて吐出されるようになっている。
【００２８】
この主剤と硬化剤の交互投入工程のうち主剤が共用供給路１８に投入（流入）される主剤投入工程、即ち硬化剤の共用供給路１８への投入（流入）が休止される工程では、硬化剤専用供給路１１Ｂにおいて加圧装置２０による硬化剤の加圧が行われる。硬化剤用開閉弁１５Ｂが閉弁状態に切り替わって硬化剤の投入が休止すると、同時に、駆動用加圧空気供給源３０がＯＮ状態となって、ここから駆動用圧力室２８内へ加圧空気が供給され、プランジャ３３が貯留室２２内の容積を増大させる方向へ移動する。このとき、与圧用圧力室２９内は大気に開放されている。プランジャ３３の移動に伴い、硬化剤専用供給路１１Ｂのうち加圧装置２０よりも上流側の領域の硬化剤が与圧用逆止弁２５を通過して貯留室２２内に流入する。
【００２９】
貯留室２２の容積が最大になってピストン２７が第１ストッパ３６に当接すると、その当接がリードスイッチ３９により検知され（図３においてはＯＦＦ状態からＯＮ状態へ切り替わり）、このリードスイッチ３９からの検知信号により、駆動用加圧空気供給源３０がＯＦＦ状態となって駆動用圧力室２８内への加圧空気の供給が停止する。この時点で、貯留室２２内への硬化剤の貯留量が最大となる。そして、貯留室２２よりも下流側に位置する硬化剤用開閉弁１５Ｂが閉弁状態であり、且つ与圧用逆止弁２５により上流側への逆流が規制されていることにより、貯留室２２内に貯留されている硬化剤及び貯留室２２と硬化剤用開閉弁１５Ｂとの間の硬化剤は、流動を規制された状態となる。
【００３０】
また、駆動用圧力室２８への加圧空気の供給が停止すると同時に、与圧用加圧空気供給源３１がＯＦＦ状態からＯＮ状態へ切り替わり、与圧用圧力室２９内への加圧空気の供給が開始する。供給された加圧空気の圧力は、ピストン２７とプランジャ３３に作用し、これにより、プランジャ３３に貯留室２２内の容積を減少させる方向への駆動力が蓄えられるとともに、貯留室２２内の硬化剤及び貯留室２２と硬化剤用開閉弁１５Ｂとの間の硬化剤が加圧される。与圧用圧力室２９内に加圧空気が供給されている間、駆動用圧力室２８内は大気に開放される。
【００３１】
そして、所定量の主剤が共用供給路１８へ投入されると、主剤用開閉弁１５Ａが閉弁状態に切り替わると同時に、硬化剤用開閉弁１５Ｂが開弁状態に切り替わる。但し、与圧用圧力室２９への加圧空気の供給は継続される。硬化剤用開閉弁１５Ｂが開弁すると、ピストン２７とプランジャ３３が貯留室２２の容積を減少させる方向へ移動し、この移動に伴い、加圧されている硬化剤が、プランジャ３３に押されることにより高圧のままで硬化剤用開閉弁１５Ｂを通過して共用供給路１８へ圧送される。
【００３２】
そして、硬化剤用流量計１６Ｂによって所定量の硬化剤が共用供給路１８に投入されたことが検知されると、硬化剤用開閉弁１５Ｂが閉弁状態に切り替わると同時に、主剤用開閉弁１５Ａが開弁状態となり、主剤の共用供給路１８への投入が行われる。これと同時に、上述したように、貯留室２２内に硬化剤を貯留し、その後に硬化剤を加圧するという動作が繰り返される。以上のようにして、主剤と硬化剤が共用供給路１８に交互投入される。
【００３３】
本実施形態では、粘度の高い硬化剤を加圧して供給するための手段としての加圧装置２０を、硬化剤専用供給路１１Ｂにおける硬化剤用圧送源１２Ｂよりも下流側の位置に接続したので、硬化剤が高圧の状態で流動するのは、加圧装置２０よりも下流側だけで済む。したがって、加圧装置２０よりも上流側には、高圧の硬化剤に耐えることができるように剛性の高い管路（例えば、ステンレスパイプやワイヤブレードで補強したホース等）に交換する等の高圧対策が不要であり、その分、コスト低減と設備の小型化を図ることが可能である。また、硬化剤用圧送源１２Ｂには、圧力比の高い大型ポンプを設ける必要がないので、この点においても、コスト低減と設備の小型化を図ることが可能となっている。
【００３４】
また、駆動手段３４と与圧手段３５が、ピストン２７及びシリンダ２６を共用しているので、これらの２つの手段が全て専用の部材で構成されている場合に比べると、部品点数が少なくて済んでいる。
【００３５】
また、貯留室２２の容積がその増減範囲内で最大になったことを検出する検出手段としてリードスイッチ３９を設けたので、このリードスイッチ３９の検出結果に基づき、貯留室２２内に貯留された硬化剤の量が正規の量に達したか否かを検知することができる。これにより、加圧装置２０から共用供給路１８へ投入される硬化剤の量が正規の量よりも不足する、という事態を確実に回避することができ、主剤と硬化剤を適正な混合比で混合して高品質の混合塗料を得ることができる。
【００３６】
＜他の実施形態＞
本発明は上記記述及び図面によって説明した実施形態に限定されるものではなく、例えば次のような実施態様も本発明の技術的範囲に含まれる。
【００３７】
（１）上記実施形態では、可動部材を、貯留室の内壁面に非接触の状態で移動するプランジャとしたが、可動部材としては、貯留室の内壁面に摺接しながら移動するピストンや、貯留室の内壁の一部を構成するダイフラムを用いることができる。
【００３８】
（２）上記実施形態では、駆動手段の駆動力として高圧の加圧空気を用いたが、駆動手段の駆動力として、真空引きによる負圧を利用してもよい。
【００３９】
（３）上記実施形態では、駆動手段の駆動源として流体の圧力（空気圧）を利用したが、駆動手段の駆動源としてはモータを用いることができる。この場合、モータの駆動力を、ラック＆ピニオン等の機械的な動力伝達機構を介して可動部材を移動させればよい。
【００４０】
（４）上記実施形態では、与圧手段の駆動力として高圧の加圧空気を用いたが、与圧手段の駆動力としては、真空引きによる負圧を利用してもよい。
【００４１】
（５）上記実施形態では、駆動手段と与圧手段が、ピストン及びシリンダを共用するようにしたが、駆動手段と与圧手段は、共用部材を含まず、全て専用の部材で構成されていてもよい。
【００４２】
（６）上記実施形態では、駆動手段と与圧手段が、可動部材の一方の端部側に集約して配置されていたが、駆動手段を可動部材の一方の端部側に配置するとともに、与圧手段を可動部材の他方の端部側に配置してもよい。
【００４３】
（７）上記実施形態では、貯留室内の液剤が上流側へ逆流するのを規制する手段として、逆止弁を用いたが、これに替えて、開閉弁を用いてもよい。
【００４４】
（８）上記実施形態では、共用供給路に対する主剤と硬化剤の流入動作と休止動作を制御する手段として、主剤専用供給路に設けた主剤専用の開閉弁と硬化剤専用供給路に設けた硬化剤専用の開閉弁を交互に開閉駆動するようにしたが、これに替えて、複数の流入ポートを有する方向切換弁を共用供給路の上流端に設け、各流入ポートに専用供給路を接続することによって主剤と硬化剤を交互に共用供給路に流入させるようにしてもよい。
【００４５】
（９）上記実施形態では、可動部材（プランジャ）の移動ストロークを機械的な当接構造によって規定するようにしたが、可動部材の移動ストロークは、可動部材の位置を検出するセンサを利用して規定してもよい。この場合、可動部材の移動経路に沿って複数のセンサを配置すれば、可動部材の移動ストローク（即ち、貯留室内に吸入する液剤の量）を適宜に変更することが可能となる。
【００４６】
（１０）上記実施形態では、貯留室の容積がその増減範囲内で最大となったことのみを検出するようにしたが、貯留室の容積がその増減範囲内で最小となったことのみを検出するようにしてもよく、貯留室の容積がその増減範囲内で最大になったことと最小となったことの両方を検出するようにしてもよい。
【００４７】
（１１）上記実施形態では、主剤に比べて硬化剤の粘度が高いため、加圧装置を硬化剤専用供給路のみに設けたが、加圧装置は、主剤と硬化剤の粘度に応じて、主剤専用供給路のみに設けてもよく、主剤専用供給路と硬化剤専用供給路の両方に設けてもよい。
【００４８】
（１２）上記実施形態では、主剤と硬化剤の粘度が異なるため、粘度の高い側の液剤のみを加圧装置を用いて高圧で圧送するようにしたが、本発明の加圧装置は、主剤と硬化剤の双方が比較的低粘度である場合にも適用できる。この場合には、混合塗料を高圧で塗装ガンに圧送することができるので、エアレスタイプの塗装ガンを用いることが可能となる。
【００４９】
（１３）本発明に適用できる混合塗料としては、重防食用の高粘度ウレタン塗料や水性二液ウレタン塗料などがある。
【００５０】
（１４）上記実施形態では、主剤専用供給路を１つだけとしたが、本発明は、色替えバルブに複数の主剤専用供給路を接続した場合にも適用できる。
【００５１】
（１５）上記実施形態では、硬化剤専用供給路を１つだけとしたが、本発明は、色替えバルブに複数の硬化剤専用供給路を接続した場合にも適用できる。
【００５２】
（１６）上記実施形態の加圧装置は、専用供給路の途中に容積を増減可能な貯留室を設け、共用供給路への液剤の流入を休止する工程において、貯留室に液剤を貯留した後、その貯留した液剤を加圧するようにしたが、本発明によれば、貯留室を設けずに液剤を加圧する構成としてもよい。即ち、専用供給路内に、その専用供給路を上流側と下流側に仕切った状態で往復するピストンを設け、ピストンに逆止弁を設け、ピストンに圧力を付与することによりピストンよりも下流側の液剤を加圧する構成とすることができる。この構成によれば、液剤を共用供給路に流入させる工程では、ピストンが液剤を加圧したままで共用供給路側へ押し出すと同時に、ピストンよりも上流側においてはピストンに追従するように液剤を下流側へ流動させることができ、また、その後の流入休止工程においては、逆止弁を開弁させながらピストンを上流側へ戻した後に、再びピストンよりも下流側の液剤を加圧することができる。
【図面の簡単な説明】
【００５３】
【図１】実施形態１の概略図
【図２】加圧装置の断面図
【図３】主剤と硬化剤の交互投入工程における各部材の作動をあらわすタイムチャート
【符号の説明】
【００５４】
１０…塗装ガン
１１Ａ…主剤専用供給路
１１Ｂ…硬化剤専用供給路
１２Ａ…主剤用圧送源
１２Ｂ…硬化剤用圧送源
１８…共用供給路
２０…加圧装置
２２…貯留室
２６…シリンダ
２７…ピストン
３０…駆動用加圧空気供給源
３１…与圧用加圧空気供給源
３３…プランジャ（可動部材）
３４…駆動手段
３５…与圧手段
３９…リードスイッチ（検出手段）
【図１】
2010131563.tif 000003
【図２】
2010131563.tif 000004
【図３】
2010131563.tif 000005